(57)【要約】【課題】  内部メモリの容量に関わらず、また外部のサーバ等に接続することなく、簡易な操作でＷＥＢ画面デザインを変更することができる情報表示装置を提供する。【解決手段】 データベース１０、及びデータベース１０に格納されている各種情報をＷＥＢページで表示するためのＷＥＢサーバ１１を備えたメインユニット１と、ＷＥＢページを表示する表示器２とで構成し、ＷＥＢページのデザインデータを外部記憶手段３に格納し、表示器２にその装着部２ａを設けた。表示器２の表示器ＣＰＵ２０は、メインユニット１のページデータ記憶手段１１ａからＷＥＢページの構成データを読み込むと共に、外部記憶手段３からデザインデータを読み込んで、表示するＷＥＢ画面のデザインを変更制御する。【選択図】  図１
2010176324.tif 000002
【特許請求の範囲】
【請求項１】
データベースと、当該データベースに格納されている各種情報をＷＥＢページで表示するためのＷＥＢサーバと、前記ＷＥＢページを表示する表示手段を備えた情報表示装置であって、
ＷＥＢページのデザインデータを格納するデザインデータ記憶手段と、ＷＥＢページの構成データを記憶するページデータ記憶手段とを独立して設け、前記デザインデータ記憶手段を着脱可能な外部記憶手段で構成し、
所定の装着部に装着した前記デザインデータ記憶手段からデザインデータを読み込んでＷＥＢ画面デザインを変更する画面デザイン変更手段を備えたことを特徴とする情報表示装置。
【請求項２】
前記表示手段を、前記データベース及び前記ページデータ記憶手段を備えた本体とは別体とし、前記表示手段に前記装着部を設けたことを特徴とする請求項１記載の情報表示装置。
【発明の詳細な説明】
【技術分野】
【０００１】
本発明は、ＷＥＢ画面を用いて情報を表示する情報表示装置に関し、特にその画面デザインを変更する技術に関する。
【背景技術】
【０００２】
ＷＥＢページで作成された画面により情報を提供する情報表示装置がある。このようなＷＥＢ画面で情報を表示する場合、通常は定期的に更新される情報要素と、この情報要素を表示する際の画面デザイン要素とで構成されている（例えば、特許文献１参照）。
一方で、住宅展示場等のショールームでは、ＷＥＢページで作成した画面を用いて様々な情報の表示を行っているが、このようなショールーム等で使用している情報表示システムは、ただ見せたい情報を表示しているだけではなく、効果的に見せるために画面に動きを加えたり音声を加える等の工夫が成されている。
【先行技術文献】
【特許文献】
【０００３】
【特許文献１】特開２００４−３２６３８７号公報
【発明の概要】
【発明が解決しようとする課題】
【０００４】
上記従来のショウルームで使用されるような情報表示装置は、インターネットを介してＷＥＢサーバ等から画面デザイン情報を入手する構成のものは少なく、多くは表示装置内にＷＥＢ画面のソースプログラム、画像データ、制御プログラム等を保存し、別途入手した情報要素を自身の画像データで生成したデザインのレイアウト画面上に表示することで、ＷＥＢ画面を生成している。
【０００５】
このようサーバ機能を備えた表示装置において、ＷＥＢページデザインを変える場合は、別途作成したデザインデータをインストールするか、表示装置を操作してデザインデータを作成して行う事になるが、全ての画像データを単独で備えた情報表示装置の場合、メモリ容量によりＷＥＢ画面のデザインデータサイズが制限される。そのため、デザインの幅には限界があった。また、デザイン変更は面倒な作業であった。
【０００６】
例えば、サーバ機能を備えた情報表示装置として自家発電システムの発電状態を表示する情報表示装置がある。このように住戸内で使用される情報表示装置の場合、効率の良い運用をして頂くためにも発電状態に興味を持って頂くのが好ましい。しかしながら、従来の自家発電システムの情報表示装置は、利用者に飽きられてしまうような単調な画面デザインが多く、継続して興味を持って頂くようなデザインではなかった。そのため、画面デザインの変更をすると良いが、内部メモリの容量との兼ね合いで、満足のいくデザインにすることが難しかった。
【０００７】
そこで、本発明はこのような問題点に鑑み、内部メモリの容量に関わらず、また外部のサーバ等に接続することなく、簡易な操作でＷＥＢ画面デザインを変更することができる情報表示装置を提供することを目的としている。
【課題を解決するための手段】
【０００８】
上記課題を解決する為に、請求項１の発明は、データベースと、当該データベースに格納されている各種情報をＷＥＢページで表示するためのＷＥＢサーバと、前記ＷＥＢページを表示する表示手段を備えた情報表示装置であって、ＷＥＢページのデザインデータを格納するデザインデータ記憶手段と、ＷＥＢページの構成データを記憶するページデータ記憶手段とを独立して設け、前記デザインデータ記憶手段を着脱可能な外部記憶手段で構成し、所定の装着部に装着した前記デザインデータ記憶手段からデザインデータを読み込んでＷＥＢ画面デザインを変更する画面デザイン変更手段を備えたことを特徴とする。
この構成によれば、デザインデータ記憶手段は着脱出来る外部記憶手段としたので、外部記憶手段を異なるデザインデータを記憶するものと交換することで、或いは外部記憶手段のデータを書き換えることで、ＷＥＢ画面のデザインを変更できる。よって、外部のサーバ等にアクセスすることなく、簡易な操作でＷＥＢ画面のデザインを変更できるし、情報表示装置の内部メモリの容量に関係なくデザインすることが可能となる。
【０００９】
請求項２の発明は、請求項１に記載の構成において、前記表示手段を、前記データベース及び前記ページデータ記憶手段を備えた本体とは別体とし、前記表示手段に前記装着部を設けたことを特徴とする。
この構成によれば、表示手段を見やすい場所に設置することが可能となり便利である。また、表示手段をモバイル機器として本体との通信を例えば無線通信により行うよう構成すれば、任意の場所でＷＥＢ画面を見ることが可能となり、更に便利にできる。
【発明の効果】
【００１０】
本発明によれば、デザインデータ記憶手段は着脱出来る外部記憶手段としたので、外部記憶手段を異なるデザインデータを記憶するものと交換することで、或いは外部記憶手段のデータを書き換えることで、ＷＥＢ画面のデザインを変更できる。よって、外部のサーバ等にアクセスすることなく、簡易な操作でるＷＥＢ画面のデザインを変更できるし、情報表示装置の内部メモリの容量に関係なくデザインすることが可能となる。
【図面の簡単な説明】
【００１１】
【図１】本発明に係る情報表示装置の実施形態の一例を示す構成図である。
【図２】ＷＥＢ画面のレイアウト変更操作の流れを示すフローチャートである。
【発明を実施するための形態】
【００１２】
以下、本発明を具体化した実施の形態を、図面に基づいて詳細に説明する。図１は本発明に係る情報表示装置の一例を示す構成図であり、自家発電装置の発電状況を表示する情報表示装置を示している。１は図示しない自家発電装置から発電情報を入手して保存するメインユニット、２は例えばパーソナルコンピュータで構成される表示器、３はデザインデータ記憶手段としての外部記憶手段である。メインユニット１と表示器２はＬＡＮ接続され、外部記憶手段３は表示器２に設けられたＵＳＢコネクタ等の装着部２ａに接続されている。この外部記憶手段３は、例えばＵＳＢメモリやＣＤＲが使用される。
【００１３】
メインユニット１は、自家発電装置から電流や電圧等の計測データを入手して保存するデータベース１０や、ＷＥＢサーバ１１を搭載し、ＷＥＢサーバ１１はＷＥＢ画面のＨＴＭＬソース部分（ページ構成部分）を保存するページデータ記憶手段１１ａを備えている。具体的に、ページデータ記憶手段１１ａには、ＷＥＢ画面情報（ＷＥＢページ情報）のうちレイアウト、ｆｌａｓｈ、音響等の画面デザインを除いた部分が保存されている。尚、ｆｌａｓｈは正式にはＡｄｏｂｅ  Ｆｌａｓｈを示し、音声、画像、動画等のリッチコンテンツを生成するためのソフトウェアである。
【００１４】
表示器２は、外部記憶手段３からデータを読み取るためのドライバ、ＷＥＢページを表示するためのブラウザを備え、表示器２を制御する表示器ＣＰＵ２０は、外部記憶手段３から読み取ったデータとメインユニット１に保存されているページ構成部分とを連携させてＷＥＢ画面を生成する制御を行う。具体的に、ＵＳＢ端子（装着部２ａ）にデザインデータが保存されているＵＳＢメモリが接続されたら、表示器ＣＰＵ２０は、ＵＳＢメモリに記憶されているデータを、ＷＥＢページのデザイン部分のデータとして認識し、自動的に読み込みを開始する。そして、メインユニット１に保存されているページ構成部分と連携させてＷＥＢ画面を生成する。
【００１５】
図２は自家発電情報のＷＥＢ画面を表示するフローチャートを示している。この図２に基づいて、表示の流れを具体的に説明する。尚、ここでは３系統までの自家発電装置の発電状況を同時に表示できるＷＥＢページを備えた場合を示している。
外部記憶手段３が装着部２ａに接続され、表示器２において所定の表示操作が成されると、表示器ＣＰＵ２０の制御により以下の流れで表示制御が行われる。先ず、表示器２のブラウザからメインユニット１に対して発電用画面のＷＥＢページが要求される（Ｓ１）。この時、自家発電装置が何系統であるか問い合わせが成され（Ｓ２，Ｓ３）、例えば太陽光発電だけというように１系統であれば、電流計測が１箇所であるため（Ｓ２でＹ）、Ｓ４に進む。こうして、１系統タイプの発電用画面ソースであるＷＥＢページの構成部分がダウンロードされ（Ｓ４）る。
【００１６】
次に、表示器ＣＰＵ２０は、外部記憶手段３に画像データを要求し、外部記憶手段３から返信された画像データであるデザインデータを読み込む（Ｓ５）。尚、このとき読み込んだデザインデータが１系統タイプで無かったならば（Ｓ６のＮ）、外部記憶手段３を正しいものに交換して読み込みをやり直し、読み込みが終了したら表示器２にＷＥＢページが表示される。
こうして、自家発電装置が１系統の場合のＷＥＢ画面が表示され（Ｓ７）、電流情報、電力情報を初めとする各種情報がデータベース１０から読み出されて新たなデザインのＷＥＢページ上に表示される。
尚、外部記憶手段３に記憶されるデザインデータとは、具体的にＷＥＢ画面のレイアウト、ｆｌａｓｈ、音響等の画面デザインデータである。
【００１７】
自家発電装置が、例えば太陽光発電と風力発電との組み合わせのように２系統ある場合は、電流計測が２箇所となるため（Ｓ３でＹ）、表示器２に２系統タイプのＷＥＢページの構成部分がダウンロードされる（Ｓ８）。その後、外部記憶手段３からＷＥＢページのデザインデータが読み込まれる（Ｓ９）。尚、このとき読み込んだデザインデータが２系統タイプで無かったならば（Ｓ１０のＮ）、外部記憶手段３を正しいものに交換して読み込みをやり直し、読み込みが終了したら表示器２にＷＥＢページが表示される。
こうして、自家発電装置が２系統の場合のＷＥＢ画面が表示され（Ｓ７）、電流情報、電力情報を初めとする各種情報がデータベース１０から読み出されて新たなデザインのＷＥＢページ上に表示される。
【００１８】
自家発電装置が、例えば太陽光発電と風力発電に加えて燃料電池発電を備えたような３系統ある場合は、電流計測が３箇所となるため（Ｓ３でＮ）、表示器３に３系統タイプのＷＥＢページの構成部分がダウンロードされる（Ｓ１１）。その後、外部記憶手段３からＷＥＢページのデザインデータが読み込まれる（Ｓ１２）。尚、このとき読み込んだデザインデータが３系統タイプで無かったならば（Ｓ１３のＮ）、外部記憶手段３を正しいものに交換して読み込みをやり直し、読み込みが終了したら表示器２にＷＥＢページが表示される。
こうして、自家発電装置が３系統の場合のＷＥＢ画面が表示され（Ｓ７）、電流情報、電力情報を初めとする各種情報がデータベース１０から読み出されて新たなデザインのＷＥＢページ上に表示される。
【００１９】
このように、デザインデータ記憶手段３を着脱出来る外部記憶手段としたので、外部記憶手段を異なるデザインデータを記憶するものと交換することで、或いは外部記憶手段のデータを書き換えることで、ＷＥＢ画面のデザインを変更できる。よって、外部のサーバ等にアクセスすることなく、簡易な操作でＷＥＢ画面のデザインを変更できるし、情報表示装置の内部メモリの容量に関係なくデザインすることが可能となる
また、表示器２を別体とすることで、表示器２を見やすい場所に設置することが可能となり便利であるし、表示器２をモバイル機器としてメインユニット１との通信を例えば無線通信により行うよう構成すれば、任意の場所でＷＥＢ画面を見ることが可能となり、更に便利にできる。
尚、上記実施形態では、自家発電装置の数に応じたＷＥＢ表示画面を３種類用意して、その中から選択する構成を示したが、選択機能がなく１種類の表示のみ行うような場合は、当然のことながら上記図２のフローは単純化される。
【産業上の利用可能性】
【００２０】
上記実施形態では、自家発電装置の発電状況を表示するＷＥＢ画面の表示について説明したが、上記ＷＥＢ画面のデザイン変更の形態は、他の情報表示装置に対しても容易に適用できる。例えば、防犯のために設置した人感センサや窓センサ等の防犯センサの動作状況を表示する情報表示装置としても使用できる。
【符号の説明】
【００２１】
１・・メインユニット（本体）、２・・表示器（表示手段）、２ａ・・装着部、３・・デザインデータ記憶手段（外部記憶手段）、１０・・データベース、１１・・ＷＥＢサーバ、１１ａ・・ページデータ記憶手段、２０・・表示器ＣＰＵ（画面デザイン変更手段）。
【図１】
2010176324.tif 000003
【図２】
2010176324.tif 000004